(57)【要約】【課題】番組情報を蓄積するためのメモリ容量を削減することができ、ひいては、コストを低減することが可能な受信装置および受信方法を提供する。【解決手段】制御部３０８の制御の下、地上波デジタル放送に関するＥＰＧデータのみを不揮発性メモリ３０６に記憶（蓄積）し、地上波デジタル、ＢＳデジタル、またはＣＳデジタルの関するＥＰＧデータは揮発性メモリ（ＲＡＭ）３０７のみに記憶し、デジタル放送受信機３１においては、ユーザがリモートコマンダ等によりＥＰＧを表示するように操作することによって、この揮発性メモリ３０７に蓄積したＥＰＧを画像（動画像または静止画像）に重畳させてモニタ３４に表示する。【選択図】      図１
2006109234.tif 000002
【特許請求の範囲】
【請求項１】
複数種類のネットワークそれぞれから送信されてくる番組案内情報を含む複数の放送信号を受信することが可能な受信装置であって、
第１領域と第２領域を含み、上記番組案内情報を記憶するための記憶手段と、
受信した一の放送信号に関する番組案内情報を上記記憶手段の第１領域に蓄積させ、他の放送信号に関する番組情報を上記記憶手段の第２領域に蓄積させ、当該第２領域に記憶し、現在受信していない放送信号に関する番組情報を破棄可能な制御手段と
を有する受信装置。
【請求項２】
上記記憶手段は、不揮発性メモリと、揮発性メモリと、を有し、
上記制御手段は、受信した一の放送信号に関する番組案内情報を上記不揮発性メモリに記憶させ、他の放送信号に関する番組案内情報は上記揮発性メモリに記憶させる
請求項１記載の受信装置。
【請求項３】
上記一の放送信号は地上波デジタル放送信号を含み、他の放送信号はデジタル衛星放送信号を含む
請求項１記載の受信装置。
【請求項４】
上記一の放送信号は地上波デジタル放送信号を含み、他の放送信号はデジタル衛星放送信号を含む
請求項２記載の受信装置。
【請求項５】
上記制御手段は、上記不揮発性メモリには、ネットワーク単位でブロック毎に記憶し、記憶データには、使用ブロックであるか否かを示すデータを付加し、新たに情報を記憶する場合には、当該付加データを参照して、不使用ブロックに記憶する
請求項４記載の受信装置。
【請求項６】
上記制御手段は、上記不揮発性メモリに記憶した一の放送信号に関する番組案内情報を放送データに重畳させる必要がある場合、上記不揮発性メモリから上記揮発性メモリに一旦情報を読み出して、当該揮発性メモリの一の放送信号に関する番組案内情報を放送データに重畳させる
請求項４記載の受信装置。
【請求項７】
上記制御手段は、上記不揮発性メモリには、ネットワーク単位でブロック毎に記憶し、記憶データには、少なくとも記憶した順番がわかるデータを付加し、上記不揮発性メモリから上記揮発性メモリに一旦情報を読み出して、当該揮発性メモリの一の放送信号に関する番組案内情報を放送データに重畳させる場合に、読み出したデータに同じネットワークに関する番組案内情報が複数存在する場合、最後に蓄積された番組案内情報を使用する
請求項６記載の受信装置。
【請求項８】
上記制御手段は、最後に蓄積された番組案内情報を使用する場合、残りの同じネットワークに関する番組案内情報を上記不揮発性メモリから削除する
請求項７記載の受信装置。
【請求項９】
一の放送信号を受信し、当該一の放送信号に含まれる番組情報を抽出可能な第１の系統と、
他の放送信号を受信し、当該他の放送信号に含まれる番組情報を抽出可能な第２の系統と、を有し、
上記制御手段は、指示に従って第１の系統または第２の系統により放送信号を受信しているときに、指示されていない系統により指示されていない放送信号を受信されて当該番組案内情報を上記記憶手段に並列的に記憶させる
請求項１記載の受信装置。
【請求項１０】
複数種類のネットワークそれぞれから送信されてくる番組案内情報を含む複数の放送信号を受信することが可能な受信方法であって、
受信した一の放送信号に関する番組案内情報を上記記憶手段の第１領域に蓄積させ、
他の放送信号に関する番組情報を上記記憶手段の第２領域に蓄積させ、
上記第２領域に記憶し、現在受信していない放送信号に関する番組情報を破棄する
受信方法。
【請求項１１】
上記一の放送信号は地上波デジタル放送信号を含み、他の放送信号はデジタル衛星放送信号を含む
請求項１０記載の受信方法。
【発明の詳細な説明】
【技術分野】
【０００１】
本発明は、受信装置および受信方法に関し、特に、たとえば、地上波と衛星放送波をそれぞれ受信可能なチューナを有する受信装置において、デジタル放送の番組案内情報（ＥＰＧ：Electronic Program Guide）を取得する際に記憶装置への蓄積制御を行う受信装置および受信方法に関するものである。
【背景技術】
【０００２】
たとえば、地上波デジタル放送において、同一のパケット識別子（PID: Packet Identifier）のパケットに含まれる情報が、実際には何を格納しているのかを示すために、それを識別するための情報が必要である。これが番組特定情報（PSI: Program Specification Information）と呼ばれるものである。特に、PID=0のものはPATと呼ばれるほか、PMT,CATなどが存在する。
PSI情報を拡張し、番組情報などを含めたものがSI(Service Information)である。そして、SIによって番組名や番組表（EPG）などが送信される。
SIはPSIの一部であるとみなして、PSI/SI情報としてまとめて扱う場合が多い。また、SIにEPGのほぼ全てが含まれるので、SI/EPGとまとめて扱う場合も多い。
【０００３】
また、ＢＳ(Broadcasting Satellite)デジタル放送等のデジタル衛星放送によれば、その伝送帯域が広いことから、地上波で放送されているような番組に加え、各種のデータを多重化して放送することが可能である。
【０００４】
ところで、たとえば、テレビジョン受信機において、地上波デジタル放送の、あるチャンネルを選局して視聴している場合には、そのチャンネルで放送しているＥＰＧデータは受信することはできるが、他のチャンネルで放送しているＥＰＧデータは受信することができない。
【０００５】
また、ＥＰＧを表示するために必要なＥＰＧデータを、地上波デジタル放送から取得するためには、一般に、１放送局あたり１分程度の時間を要する。
【０００６】
したがって、所望のＥＰＧデータを放送しているチャンネル以外のチャンネルを受信している状態において、その所望のＥＰＧデータを放送しているチャンネルに選局を変更しても、その変更を行ってからＥＰＧを見ることができるようになるまで、数分程度の時間を要することとなり、シームレス(seamless)なＥＰＧの提供を行うことが困難である。
【０００７】
そこで、たとえばシームレスなＥＰＧの提供を可能とした受信装置が提案されている（たとえば特許文献１参照）。
【特許文献１】特開２０００−３２４４１１号公報
【発明の開示】
【発明が解決しようとする課題】
【０００８】
ところで、デジタル放送の受信装置においては、特許文献１に記載されている受信装置も含めて、記憶装置にＥＰＧを一旦蓄積する。
そして、デジタル放送の受信装置においては、ユーザがリモートコマンダ等によりＥＰＧを表示するように操作することによって、蓄積したＥＰＧを画像（動画像または静止画像）に重畳させて表示する。
【０００９】
このように、デジタル放送の受信装置においては、通常、デジタル放送のＥＰＧは蓄積が前提であり、ＥＰＧを全て蓄積し、提示のために使用するため、最低でも約１０ＭＢ程度という不揮発メモリが必要であり、コスト高にもつながるという課題がある。
【００１０】
本発明は、かかる事情に鑑みてなされたものであり、その目的は、番組情報を蓄積するためのメモリ容量を削減することができ、ひいては、コストを低減することが可能な受信装置および受信方法を提供することにある。
【課題を解決するための手段】
【００１１】
上記目的を達成するため、本発明の第１の観点は、複数種類のネットワークそれぞれから送信されてくる番組案内情報を含む複数の放送信号を受信することが可能な受信装置であって、第１領域と第２領域を含み、上記番組案内情報を記憶するための記憶手段と、受信した一の放送信号に関する番組案内情報を上記記憶手段の第１領域に蓄積させ、他の放送信号に関する番組情報を上記記憶手段の第２領域に蓄積させ、当該第２領域に記憶し、現在受信していない放送信号に関する番組情報を破棄可能な制御手段とを有する。
【００１２】
好適には、上記記憶手段は、不揮発性メモリと、揮発性メモリと、を有し、上記制御手段は、受信した一の放送信号に関する番組案内情報を上記不揮発性メモリに記憶させ、他の放送信号に関する番組案内情報は上記揮発性メモリに記憶させる。
【００１３】
好適には、上記一の放送信号は地上波デジタル放送信号を含み、他の放送信号はデジタル衛星放送信号を含む。
【００１４】
好適には、上記制御手段は、上記不揮発性メモリには、ネットワーク単位でブロック毎に記憶し、記憶データには、使用ブロックであるか否かを示すデータを付加し、新たに情報を記憶する場合には、当該付加データを参照して、不使用ブロックに記憶する。
【００１５】
好適には、上記制御手段は、上記不揮発性メモリに記憶した一の放送信号に関する番組案内情報を放送データに重畳させる必要がある場合、上記不揮発性メモリから上記揮発性メモリに一旦情報を読み出して、当該揮発性メモリの一の放送信号に関する番組案内情報を放送データに重畳させる。
【００１６】
好適には、上記制御手段は、上記不揮発性メモリには、ネットワーク単位でブロック毎に記憶し、記憶データには、少なくとも記憶した順番がわかるデータを付加し、上記不揮発性メモリから上記揮発性メモリに一旦情報を読み出して、当該揮発性メモリの一の放送信号に関する番組案内情報を放送データに重畳させる場合に、読み出したデータに同じネットワークに関する番組案内情報が複数存在する場合、最後に蓄積された番組案内情報を使用する。
【００１７】
好適には、上記制御手段は、最後に蓄積された番組案内情報を使用する場合、残りの同じネットワークに関する番組案内情報を上記不揮発性メモリから削除する。
【００１８】
好適には、一の放送信号を受信し、当該一の放送信号に含まれる番組情報を抽出可能な第１の系統と、他の放送信号を受信し、当該他の放送信号に含まれる番組情報を抽出可能な第２の系統と、を有し、上記制御手段は、指示に従って第１の系統または第２の系統により放送信号を受信しているときに、指示されていない系統により指示されていない放送信号を受信されて当該番組案内情報を上記記憶手段に並列的に記憶させる。
【００１９】
本発明の第２の観点は、複数種類のネットワークそれぞれから送信されてくる番組案内情報を含む複数の放送信号を受信することが可能な受信方法であって、受信した一の放送信号に関する番組案内情報を上記記憶手段の第１領域に蓄積させ、他の放送信号に関する番組情報を上記記憶手段の第２領域に蓄積させ、上記第２領域に記憶し、現在受信していない放送信号に関する番組情報を破棄する。
【００２０】
本発明によれば、制御手段は、たとえば、受信した一の放送信号（たとえば地上波デジタル方法）に関する番組案内情報を、記憶手段の第１領域、たとえば不揮発性メモリに蓄積させる。
また、受信した他の放送信号（衛星放送）に関する番組情報を記憶手段の第２領域、たとえば揮発性メモリに蓄積させる。
そして、制御手段は、第２領域に記憶し、現在受信していない放送信号に関する番組情報は破棄する。
【発明の効果】
【００２１】
本発明によれば、番組情報を蓄積するためのメモリ容量を削減することができ、ひいては、コストを低減することできる。
【発明を実施するための最良の形態】
【００２２】
以下、本発明の実施形態を図面に関連付けて説明する。
【００２３】
図１は、本発明を適用したデジタル放送システム（システムとは、複数の装置が論理的に集合した物をいい、各構成の装置が同一筐体中にあるか否かは問わない）の一実施形態を示す図である。
【００２４】
本デジタル放送システムは、一例として地上波デジタル放送と衛星（ＢＳ，１１０度ＣＳ）デジタル放送に適用した放送システムとして構成したものであり、図１に示すように、地上波デジタル放送系１０、衛星デジタル放送系２０、並びに、地上波デジタル、ＢＳ（Ｂｒｏａｄｃａｓｔｉｎｇ  Ｓａｔｅｌｌｉｔｅ）デジタル、および１１０度ＣＳ（Ｃｏｍｍｕｎｉｃａｔｉｏｎ  Ｓａｔｅｌｌｉｔｅ）デジタル放送受信系３０を有している。
【００２５】
地上波デジタル放送系１０において、地上波放送局１１では、アナログの地上波（第１の伝送媒体）によって、番組の放送が行われる。
すなわち、地上波放送局１１は、各種の番組を、アンテナ１２から地上波として放送する。
【００２６】
衛星デジタル放送系２０において、衛星放送局２１では、デジタル衛星放送波（第２の伝送媒体）によって、番組の放送が行われる。すなわち、衛星放送局２１は、各種の番組を、アンテナ２２から衛星放送波として放送する。
この衛星放送波は、ＢＳ等のデジタル放送（通信）衛星（のトランスポンダ）２３で受信され、増幅その他の所定の処理が施された後に送信される。
【００２７】
なお、図１の実施の形態においては、１の地上波放送局１１と衛星放送局２１しか図示していないが、地上波放送局または衛星放送局は、それぞれ複数設けられている。
【００２８】
また、複数の地上波放送局のうちの１以上においては、複数の地上波放送局それぞれが放送する番組についての、所定の方式によるＥＰＧデータが、たとえば垂直ブランキング期間に挿入されて放送されている。
【００２９】
以上のようにして送信されてくる地上波または衛星放送波は、デジタル放送受信系３０において、それぞれを受信するためのアンテナ３２または３３で受信され、その結果得られる受信信号が、受信機３１に供給される。
【００３０】
受信機３１では、アンテナ３２または３３から供給される受信信号から、所定のチャンネルの信号が取り出され、必要な処理が施される。そして、その結果得られる画像（動画像または静止画像）は、モニタ３４に供給されて表示（出力）され、音声は、スピーカ３５に供給されて出力される。
【００３１】
図２は、図１のデジタル放送受信機の第１の実施形態を示すブロック図である。
【００３２】
図２の受信機３１は、地上波チューナ３０１、ＢＳ（またはＣＳ）チューナ３０２、デスクランブラ（Ｄｅｓｃｒａｍｂｌｅｒ）３０３、デマルチプレクサ（ＤｅＭＵＸ）３０４、ＡＶデコーダ３０５、不揮発性メモリ３０６、揮発性メモリ（ＲＡＭ）３０７、制御部（ＣＰＵ）３０８、およびＩＣカードリーダ３０９を有している。
そして、これらの地上波チューナ３０１、ＢＳチューナ３０２、デスクランブラ３０３、デマルチプレクサ３０４、ＡＶデコーダ３０５、不揮発性メモリ３０６、揮発性メモリ３０７、制御部３０８、およびＩＣカードリーダ３０９は内部バス３１０を介して接続されている。
【００３３】
デジタル放送受信系３０において、アンテナ３２で受信された地上波の受信信号は、地上波チューナ３０１に供給され、また、アンテナ３３で受信された衛星放送波の受信信号は、ＢＳチューナ（またはＣＳチューナ）３０２に供給される。
【００３４】
地上波チューナ３０１は、アンテナ３２からの地上波の受信信号を受信し、その受信信号から、制御部３０８の指示に基づいて、所定のチャンネルの信号を選局（抽出）して、デスクランブラ３０３に供給する。
【００３５】
ＢＳ（ＣＳ）チューナ３０２は、アンテナ３３からの衛星放送波の受信信号を受信し、その受信信号から、制御部３０８の指示に基づいて、所定のチャンネルの信号を選局して、デスクランブラ３０３に供給する。
【００３６】
デスクランブラ３０３は、制御部３０８の指示に基づいて、地上波チューナ３０１による受信信号またはＢＳチューナ３０２による受信信号に対してデスクランブル処理を行って、デマルチプレクサ３０４に供給する。
【００３７】
デマルチプレクサ３０４は、制御部３０８の指示に基づいて、地上波チューナ３０１による受信信号またはＢＳチューナ３０２による受信信号から情報を選択的に取り出して、たとえば画像（動画像または静止画像）や音声データをＡＶデコーダ３０５に供給し、ＥＰＧデータを不揮発性メモリ３０６または揮発性メモリ３０７に供給する。
本実施形態においては、地上波デジタルのＥＰＧデータのみが不揮発性メモリ３０６に記憶（蓄積）され、ＢＳまたはＣＳデジタルのＥＰＧデータは揮発性メモリ３０７に記憶（蓄積）される。
【００３８】
ＡＶデコーダ３０５は、制御部３０８の指示に基づいて、デマルチプレクサ３０４により供給される一般の番組としての画像や音声に、必要な信号処理（たとえば、いわゆるγ補正等）を施し、画像はモニタ３４に、音声はスピーカ３５（図１）に、それぞれ出力する。
また、ＡＶデコーダ３０５は、制御部３０８の指示に基づいて、必要に応じて、一般の番組としての画像に、揮発性メモリ３０７に蓄積されている地上波デジタル放送、ＢＳデジタル放送、またはＣＳデジタル放送の関するＥＰＧデータに基づいて構成されるＥＰＧを重畳して、モニタ３４に供給し表示させる。
【００３９】
不揮発性メモリ３０６は、たとえばＮＯＲ型フラッシュメモリにより構成され、制御部３０８の制御の下、地上波デジタルに関するＥＰＧデータのみを記憶（蓄積）する。
不揮発性メモリ３０６は、その容量は、たとえば地上波デジタル放送に関するＥＰＧデータにマージンを加えて２ＭＢに設定される。
【００４０】
揮発性メモリ３０７は、ＤＲＡＭ等のＲＡＭにより構成され、制御部３０８の制御の下、地上波デジタル放送、ＢＳデジタル放送、またはＣＳデジタル放送の関するＥＰＧデータを記憶する。
デジタル放送受信機３１においては、ユーザがリモートコマンダ等によりＥＰＧを表示するように操作することによって、この揮発性メモリ３０７に蓄積したＥＰＧを画像（動画像または静止画像）に重畳させてモニタ３４に表示する。
揮発性メモリ３０７は、その容量は、たとえば最も情報量の多いＣＳデジタル放送に関するＥＰＧデータにマージンを加えて３ＭＢに設定される。
【００４１】
制御部３０８は、図示せぬ操作部やリモートコマンダが、ユーザによって操作されることにより、ユーザがチャンネルを選択した場合に、そのチャンネルの信号を出力するように、地上波チューナ３０１やＢＳチューナ３０２を制御する。
また、制御部３０８は、デマルチプレクサ３０４、不揮発性メモリ３０６、および揮発性メモリ３０７を制御し、地上波デジタル放送に関するＥＰＧデータを不揮発性メモリ３０６に蓄積させ、ＢＳおよびＣＳデジタル方法に関するＥＰＧデータは、揮発性メモリ３０７に蓄積させる。
また、制御部３０８は、たとえば地上波デジタル放送の受信信号におけるＥＰＧデータを不揮発性メモリ３０６に記憶させる場合、一旦、揮発性メモリ３０７に記憶し、そのデータが既に不揮発性メモリ３０６に記憶されているか否かを判定し、判定結果に応じて記憶するか否かを決定する。制御部３０８は、基本的には、不揮発性メモリ３０６に記憶される地上波デジタル放送に関するＥＰＧデータは、日毎に更新するように制御する。
制御部３０８は、ユーザがリモートコマンダ等によりＥＰＧを表示するように操作することによって、この揮発性メモリ３０７に蓄積したＥＰＧを画像（動画像または静止画像）に重畳させてモニタ３４に表示させる場合には、地上波デジタル放送に関するＥＰＧデータは、不揮発性メモリ３０６から揮発性メモリ３０７に一旦読み出し、揮発性メモリ３０７に記憶させたＥＰＧデータを重畳させる。
なお、制御部３０８は、デマルチプレクサ３０４により供給されるＥＰＧデータに対して、その方式に適合する処理を施し、不揮発性メモリ３０６または揮発性メモリ３０７に供給する。
【００４２】
上述したように、本実施形態においては、制御部３０８の制御の下、地上波デジタル放送に関するＥＰＧデータのみを不揮発性メモリ３０６に記憶（蓄積）し、地上波デジタル、ＢＳデジタル、またはＣＳデジタルの関するＥＰＧデータは揮発性メモリ３０７のみに記憶し、デジタル放送受信機３１においては、ユーザがリモートコマンダ等によりＥＰＧを表示するように操作することによって、この揮発性メモリ３０７に蓄積したＥＰＧを画像（動画像または静止画像）に重畳させてモニタ３４に表示する。
【００４３】
以下、制御部３０８によるＥＰＧデータの制御についてさらに詳細に説明する。
ここでは、地上波デジタル、ＢＳデジタル、１１０度ＣＳデジタルのくくりを「放送規格」と呼ぶこととする。
【００４４】
制御部３０８は、以下のように制御する。
【００４５】
上述したように、地上波デジタル、ＢＳデジタル、１１０度ＣＳデジタル共用受信機３０において、地上波デジタル放送に関するＥＰＧデータのみを不揮発性メモリ（ＲＡＭ）３０６に蓄積する。
【００４６】
番組表は、ユーザが視聴（ＴＶ側）している放送規格に属するサービスのみのＥＰＧ（番組案内情報）を提示する。
【００４７】
番組表は、揮発性メモリ（ＲＡＭ）３０７に格納されているＥＰＧデータのみを使用してモニタ３４に表示する。
【００４８】
揮発性メモリ（ＲＡＭ）３０７に格納するＥＰＧデータは、ユーザが視聴（ＴＶ側）している系のデマルチプレクサ（ＤｅＭＵＸ、本実施形態では１つのみ）３０４から取得し、揮発性メモリ（ＲＡＭ）３０７に格納する優先度はユーザが視聴している放送規格のデータを優先する。
言い換えると、揮発性メモリ（ＲＡＭ）３０７に格納しきれなくなった場合は、視聴していない放送規格のデータを削除する。
なお、優先順位を決めて動的に破棄せずとも、ユーザが視聴する放送規格を切り替えた時点で，全ての揮発性メモリ（ＲＡＭ）３０７上のデータを毎回破棄するようにしても良い。
【００４９】
ユーザが視聴する放送規格を切り替えた時点で、ＥＰＧデータは受信機システムの処理能力が許容する範囲で、最大限フィルタをあけて取得する。
この場合、フィルタを全開にすることにより処理が追いつかないようであれば、時間的に直近のデータを優先して取得するようフィルタの値を設定する。
【００５０】
地上波デジタル放送の番組情報の蓄積は以下の手順で行う。
蓄積する不揮発メモリ３０６の領域は、たとえば図３に示すように、あらかじめネットワーク単位で区切っておく。
図３の例では、ＮＯＲ型フラッシュメモリの２つのセクタを１つのＥＰＧデータに割り当て、これらの配列に番号を付す。たとえば図３においては配列は「０」〜「ｎ」が付されている。
区切られた配列（領域）の先頭に、そのネットワークの情報を完全に取得した日付を記載する。続いて、ネットワークＩＤ、データサイズ、さらに番組データを記載する（書き込む）。
蓄積したデータを破棄するときは、不揮発性メモリ３０６の格納領域を消去（フラッシュ；全て１）する。
また、消去（フラッシュ）する過程で電源が切断されたときに不定の値となってしまうようなデバイスであれば、フラッシュの前に日付の部分を0xff(all０)で書きつぶすこととする。つまり、使用されていないブロックの日付領域はall0もしくはall1となり、このことにより、制御部３０８は、使用していないブロックを判別する。
ひとつのネットワークあたりの蓄積領域が複数（３つ以上）のセクタにまたがる場合は、最初に、先頭のセクタに関して処理を行う。
新しくデータを蓄積する場合は、現在使用されていないブロックを使用する。使用開始前に、使用しようとするブロックを構成するセクタにフラッシュされていないセクタがあればフラッシュしてから使用する。
視聴中の放送規格が地上デジタルに切り替わったときに、不揮発性メモリ３０６から揮発性メモリ（ＲＡＭ）３０７へのデータ読み出しを行う。このとき、同じネットワークの情報が複数あった場合、日付から最も後に蓄積された情報を使用する。同時に、最後に蓄積された情報以外の重複する情報があれば、削除する。
これと並行して、図４に示すように、ネットワークごとの格納位置（配列番号）、ネットワークＩＤと取得日時の情報を管理情報として揮発性メモリ（ＲＡＭ）３０７に作成する。
新しくデータを蓄積する場合は、現在使用されていないブロックを使用し、蓄積する。このとき、日付は取得しているネットワークの情報を全て記録し終わった後に記載し、その次に、同じネットワークで古い情報が別の場所に格納されていた場合、これを削除する。
【００５１】
なお、上記で「日付」と記載している部分を「日付＋時刻」としても良い。
また、不揮発性メモリ３０６に書き換え寿命が存在するものを使用する場合、情報を取得した日時の記録を基に、同日は不揮発性メモリに記録しないようにしたり、３時間など任意に規定した時間は不揮発性メモリに記録しないようにしても良い。
【００５２】
以上の制御により、不揮発性メモリ２ＭＢ、揮発性メモリ（ＲＡＭ）３ＭＢ程度という極めて少ないメモリ容量で、番組表を提示可能な受信機を実現する。
【００５３】
以上のように構成されるデジタル放送受信系３０では、ユーザがリモートコマンダ等を操作することによって、視聴するチャンネル（番組）が選択されると、制御部３０８は、地上波チューナ３０１またはＢＳチューナ３０２のうちの、ユーザによって選択されたチャンネルの信号を受信する方を、そのチャンネルの信号を受信するように制御する。
【００５４】
すなわち、たとえば、ユーザによって、地上波を介して放送されている番組が選択された場合、制御部３０８は、地上波チューナ３０１を制御することにより、アンテナ３２（図１）から供給される地上波の受信信号から、ユーザが選択したチャンネルの信号を抽出させる。
このチャンネルの信号は、地上波チューナ３０１からデスクランブラ３０３を介してデマルチプレクサ３０４に供給される。
デマルチプレクサ３０４では、制御部３０８の指示に基づいて、地上波チューナ３０１による受信信号から情報を選択的に取り出されて、たとえば画像（動画像または静止画像）や音声データがＡＶデコーダ３０５に供給され、ＥＰＧデータが不揮発性メモリ３０６または揮発性メモリ３０７に供給される。
【００５５】
ＡＶデコーダ３０５は、制御部３０８の指示に基づいて、デマルチプレクサ３０４により供給される一般の番組としての画像や音声に、必要な信号処理が施され、画像はモニタ３４に供給されて表示され、また、音声はスピーカ３５（図１）に供給されて出力される。これにより、ユーザは、地上波を介して放送されてくる所望の番組を視聴することができる。
【００５６】
一方、たとえば、ユーザによって、衛星放送波を介して放送されている番組が選択された場合、制御部３０８は、ＢＳチューナ３０２を制御することにより、アンテナ３３から供給される衛星放送波の受信信号から、ユーザが選択したチャンネルの信号を抽出させる。
このチャンネルの信号は、ＢＳチューナ３０２からデスクランブラ３０３を介してデマルチプレクサ３０４に供給される。
デマルチプレクサ３０４では、制御部３０８の指示に基づいて、ＢＳチューナ３０２による受信信号から情報を選択的に取り出して、たとえば画像（動画像または静止画像）や音声データがＡＶデコーダ３０５に供給し、ＥＰＧデータが揮発性メモリ３０７に供給される。
【００５７】
ＡＶデコーダ３０５は、制御部３０８の指示に基づいて、デマルチプレクサ３０４により供給される一般の番組としての画像や音声に、必要な信号処理が施され、画像はモニタ３４に供給されて表示され、また、音声はスピーカ３５（図１）に供給されて出力される。これにより、ユーザは、衛星放送波を介して放送されてくる所望の番組を視聴することができる。
【００５８】
また、本実施形態では、地上波および衛星放送波によって放送される番組についてのＥＰＧデータが放送されるようになっている。
【００５９】
ＥＰＧデータ受信処理では、図５のフローチャートに示すように、まず最初に、ステップＳＴ１において、ユーザが選択しているチャンネルの信号が、地上波または衛星放送波のうちのいずれによるものかが、制御部３０８によって判定される。
すなわち、制御部３０８は、ユーザがリモートコマンダ等を操作することにより選択したチャンネルを、地上波チューナ３０１またはＢＳチューナ３０２を制御することにより受信させる。したがって、制御部３０８は、ユーザが選択しているチャンネルの信号が、地上波または衛星放送波のうちのいずれによるものであるかを認識している。
ステップＳＴ１では、そのようにして制御部３０８が認識している情報に基づいて、ユーザが選択しているチャンネルの信号が、地上波または衛星放送波のうちのいずれによるものであるかが判定される。
【００６０】
ステップＳＴ１において、ユーザが選択しているチャンネルの信号が、地上波によるものであると判定された場合、すなわち、地上波チューナ３０１によって、ユーザが選択しているチャンネルの信号が受信されている場合、ステップＳＴ２以下の処理に進み、不揮発性メモリ３０６に地上波デジタル放送に関するＥＰＧデータを蓄積する。
具体的には、新しくデータを蓄積する場合は、現在使用されていないブロックを使用する。使用開始前に、使用しようとするブロックを構成するセクタにフラッシュされていないセクタがあれば消去（フラッシュ）してから使用し、データが蓄積される（ＳＴ２，ＳＴ３）。
この場合、たとえば図３に示すように、配列に番号「０」〜「ｎ」が付され、区切られた配列（領域）の先頭に、そのネットワークの情報を完全に取得した日付が記載される。続いて、ネットワークＩＤ、データサイズ、さらに番組データが記載される。
蓄積したデータを破棄するときは、揮発メモリ３０７の格納領域が消去（フラッシュ；全て１）される。
【００６１】
また、ステップＳＴ２において、新たなデータ蓄積ではなく、視聴中の放送規格が地上波デジタルに切り替わったときに、不揮発性メモリ３０６から揮発性メモリ（ＲＡＭ）３０７にデータ読み出しが行われる（ＳＴ４）。
このとき、同じネットワークの情報が複数あった場合、日付から最も後に蓄積された情報を使用する。同時に、最後に蓄積された情報以外の重複する情報があれば、削除する。
これと並行して、図４に示すように、ネットワークごとの格納位置（配列番号）、ネットワークＩＤと取得日時の情報が管理情報として揮発性メモリ（ＲＡＭ）３０７に作成される（ＳＴ５）。
このとき、新しくデータを蓄積する場合は、現在使用されていないブロックを使用し、蓄積する。このとき、日付は取得しているネットワークの情報を全て記録し終わった後に記載し、その次に、同じネットワークで古い情報が別の場所に格納されていた場合、これを削除する。
【００６２】
そして、ユーザがリモートコマンダ等により地上波デジタル放送に関するＥＰＧを表示するように操作すると、制御部３０８の制御の下、対応するＥＰＧデータが不揮発性メモリ３０６から揮発性メモリ３０７に読み出され、ＡＶデコーダ３０５に出力される。
ＡＶデコーダ３０５においては、この揮発性メモリ３０７に蓄積したＥＰＧを画像（動画像または静止画像）に重畳させてモニタ３４に表示させる。
【００６３】
ステップＳＴ１において、ユーザが選択しているチャンネルの信号が、衛星放送波によるものであると判定された場合、すなわち、ＢＳチューナ３０２によって、ユーザが選択しているチャンネルの信号が受信されている場合、ステップＳＴ６の処理に進み、揮発性メモリ３０７に衛星放送波に関するＥＰＧデータを蓄積する。
【００６４】
そして、ユーザがリモートコマンダ等により地上波デジタル放送に関するＥＰＧを表示するように操作すると、制御部３０８の制御の下、ＥＰＧデータが揮発性メモリ３０７から読み出され、ＡＶデコーダ３０５に出力される。
ＡＶデコーダ３０５においては、この揮発性メモリ３０７に蓄積したＥＰＧを画像（動画像または静止画像）に重畳させてモニタ３４に表示させる。
【００６５】
以上説明したように、本実施形態によれば、制御部３０８の制御の下、地上波デジタル放送に関するＥＰＧデータのみを不揮発性メモリ３０６に記憶（蓄積）し、地上波デジタル、ＢＳデジタル、またはＣＳデジタルの関するＥＰＧデータは揮発性メモリ（ＲＡＭ）３０７のみに記憶し、デジタル放送受信機３１においては、ユーザがリモートコマンダ等によりＥＰＧを表示するように操作することによって、この揮発性メモリ３０７に蓄積したＥＰＧを画像（動画像または静止画像）に重畳させてモニタ３４に表示することから、番組情報を蓄積するためのメモリ容量を削減することができ、ひいては、コストを低減することができる。
具体的には、地上デジタル、ＢＳデジタル、１１０度ＣＳデジタル共用受信機において、蓄積する番組情報を地上デジタル放送に限定することにより不揮発メモリ２ＭＢ程度、揮発メモリ（ＲＡＭ）３ＭＢ程度の極めて少ない揮発および不揮発記憶装置のみで番組情報を提示することができる装置を実現できる。
【００６６】
なお、本実施形態では、受信機３１に、地上波を受信する地上波チューナ３０１と、デジタル衛星放送波を受信するＢＳチューナ３０２の２種類のチューナを内蔵させるようにしたが、受信機３１には、たとえば、CATV(Cable Television)を介して送信されてくる信号を受信するチューナその他の２種類のチューナを内蔵させることも可能である。
さらに、受信機３１には、３種類以上の伝送媒体を介して送信されてくる信号をそれぞれ受信可能な３種類以上のチューナを内蔵させることも可能である。この場合、ＥＰＧデータは、ユーザが選択した信号を受信しているチューナ以外の２種類以上のチューナのいずれかで受信するようにすることができる。
【００６７】
図６は、本実施形態に係るデジタル放送受信機の第２の実施形態を示すブロック図である。
【００６８】
図６の受信機３１Ａが図２の受信器３０と異なる点は、デスクランブラ、デマルチプレクサを１系統ではなく、図２のデスクランブラ３０３、デマルチプレクサ３０４は地上波デジタル放送の受信信号専用として用い（第１の系統）、さらに衛星放送の受信信号専用のデスクランブラ３１１、デマルチプレクサ３１２を別途設けた（第２の系統）ことにある。
【００６９】
このような構成において、制御部３０８によるＥＰＧデータの蓄積制御は、上述した第１の実施形態の場合と同様に行うことが可能であるが、さらに、以下のように蓄積制御を行うことも可能である。
【００７０】
すなわち、たとえば図７に示すように、アンテナ３３、ＢＳチューナ３０２、デスクランブラ３１１、デマルチプレクサ３１２を通して衛星方法波を受信し、衛星放送に関するＥＰＧデータを揮発性メモリ（ＲＡＭ）３０７に格納しているときに、別系統のアンテナ３２、地上波チューナ３０１、デスクランブラ３０３、デマルチプレクサ３０４を通して地上波デジタル放送に関するＥＰＧデータを揮発性メモリ（ＲＡＭ）３０７の空き領域に格納して不揮発性メモリ３０６に記憶させる、あるいは直接的に、地上波デジタル放送に関するＥＰＧデータを不揮発性メモリ３０６に記憶させる。
または、逆に、アンテナ３２、地上波チューナ３０１、デスクランブラ３０３、デマルチプレクサ３０４を通して地上波デジタル放送を受信し、地上波デジタル放送に関するＥＰＧデータを揮発性メモリ（ＲＡＭ）３０７の空き領域に格納して不揮発性メモリ３０６に記憶させる、あるいは直接的に、地上波デジタル放送に関するＥＰＧデータを不揮発性メモリ３０６に記憶させているときに、別系統のアンテナ３３、ＢＳチューナ３０２、デスクランブラ３１１、デマルチプレクサ３１２を通して衛星方法波を受信し、衛星放送に関するＥＰＧデータを揮発性メモリ（ＲＡＭ）３０７の空き領域に記憶させる。
【００７１】
これにより、メモリの効率の良いアクセスを実現でき、シームレスなＥＰＧを提供することが可能となる。
【図面の簡単な説明】
【００７２】
【図１】本発明を適用した放送システムの一実施の形態の構成例を示す図である。
【図２】デジタル放送受信機の第１の実施形態を示すブロック図である。
【図３】本実施形態に係る不揮発性メモリに記憶される地上波デジタル放送に関する番組情報（ＥＰＧ）の蓄積構造例を示す図である。
【図４】本実施形態に係る揮発性メモリ（ＲＡＭ）に形成される不揮発性メモリの蓄積データの有効データ管理構造例を示す図である。
【図５】図２の受信機が行うＥＰＧデータ受信処理を説明するためのフローチャートである。
【図６】デジタル放送受信機の第１の実施形態を示すブロック図である。
【図７】図２の受信機が行うＥＰＧデータ蓄積処理を説明するための図である。
【符号の説明】
【００７３】
１０…地上波デジタル放送系、１１…地上波放送局、１２…アンテナ、２０…衛星デジタル放送系、２１…衛星放送局、２２…アンテナ、２３…デジタル放送（通信）衛星（のトランスポンダ）、３０…デジタル放送受信系、３１，３１Ａ…受信機、３２，３３…アンテナ、３４…モニタ、３５…スピーカ、３０１…地上波チューナ、３０２…ＢＳ（またはＣＳ）チューナ、３０３，３１１…デスクランブラ（Ｄｅｓｃｒａｍｂｌｅｒ）、３０４，３１２…デマルチプレクサ（ＤｅＭＵＸ）、３０５…ＡＶデコーダ、３０６…不揮発性メモリ、３０７…揮発性メモリ（ＲＡＭ）、３０８…制御部（ＣＰＵ）。
【図１】
2006109234.tif 000003
【図２】
2006109234.tif 000004
【図３】
2006109234.tif 000005
【図４】
2006109234.tif 000006
【図５】
2006109234.tif 000007
【図６】
2006109234.tif 000008
【図７】
2006109234.tif 000009